(57)【要約】【課題】複雑な形状の配管用の筒状カバーを必要とせず、その筒状カバーの端部に配管用の接続カバーを確実に外嵌接続でき、たとえ抜け側への強い外力が作用しても、筒状カバーと接続カバーが容易に外れることのない配管用カバーの抜け止めクリップ。【解決手段】  配管用の筒状カバー１と接続カバー２との相対的な抜けを防止する抜け止めクリップ７が、筒状カバー１の端部を挟持する外側舌片８と内側舌片９、および、両舌片を連結する連結部１０を備え、外側舌片８が、接続カバー２の内周面に突設のストッパ１４に当接して、筒状カバー１と接続カバー２の相対的な抜けを防止するべく外側へ突出された抜け止め部８ｂを備え、外側舌片８と内側舌片９の少なくとも一方が、筒状カバー１と接続カバー２の相対的な抜け側への移動に伴ってストッパ１４から抜け止め部８ｂに加わる押圧力で筒状カバー１に食い込み可能な爪部８ａ，９ａを備えている。【選択図】図５
2011112079.tif 000002
【特許請求の範囲】
【請求項１】
配管用の筒状カバーとその筒状カバーの端部に外嵌接続される配管用の接続カバーとの相対的な抜けを防止するために使用される配管用カバーの抜け止めクリップであって、
前記クリップが、前記筒状カバーの端部を外側と内側から挟持する外側舌片と内側舌片、および、両舌片の基端部を互いに連結する連結部を備えて側面視でほぼコの字状に形成され、
前記外側舌片が、前記接続カバーの内周面に突設のストッパに当接して、前記筒状カバーと接続カバーの相対的な抜けを防止するべく外側へ突出された抜け止め部を備え、
前記外側舌片と内側舌片の少なくとも一方が、前記筒状カバーと接続カバーの相対的な抜け側への移動に伴って前記ストッパから抜け止め部に加わる押圧力で前記筒状カバーに食い込み可能な爪部を備えている配管用カバーの抜け止めクリップ。
【請求項２】
前記外側舌片が、前記筒状カバーの外周面に食い込むべく前記連結部側に向けて内側へ斜めに突出する外側爪部を備え、前記内側舌片が、前記筒状カバーの内周面に食い込むべく前記連結部側に向けて外側へ斜めに突出する内側爪部を備えている請求項１に記載の配管用カバーの抜け止めクリップ。
【請求項３】
前記外側舌片が、その横幅方向に沿って前記外側爪部を複数本備え、前記内側舌片が、その横幅方向に沿って前記内側爪部を複数本備えている請求項２に記載の配管用カバーの抜け止めクリップ。
【請求項４】
前記複数本の外側爪部と複数本の内側爪部が、前記横幅方向に沿って位相をずらせて互い違いに、かつ、側面視で互いに交差するように配設されている請求項３に記載の配管用カバーの抜け止めクリップ。
【発明の詳細な説明】
【技術分野】
【０００１】
本発明は、配管用の筒状カバーとその筒状カバーの端部に外嵌接続される配管用の接続カバーとの相対的な抜けを防止するために使用される配管用カバーの抜け止めクリップに関する。
【背景技術】
【０００２】
このような筒状カバーと接続カバーとの相対的な抜けを防止するものとして、従来、筒状カバーの外周にその筒状カバーの長手方向に沿う複数の溝を形成して、その複数の溝内に軟質樹脂製の抜け止め用の嵌入部材を嵌入保持させ、他方、接続カバーの内周面に複数の突起を突設して、筒状カバー側の嵌入部材と接続カバー側の突起が当接することで、筒状カバーと接続カバーの相対的な抜けを防止するように構成したものが知られている（例えば、特許文献１参照）。
【先行技術文献】
【特許文献】
【０００３】
【特許文献１】実開平４−３１３９３号公報
【発明の概要】
【発明が解決しようとする課題】
【０００４】
しかし、上記公報に記載の従来技術では、抜け止め用の嵌入部材を必要とするのに加え、筒状カバーの外周に嵌入部材を嵌めるための複数の溝が必要となり、筒状カバーの形状が複雑になって、筒状カバーが高価なものになるという欠点があった。
さらに、抜け止め用の嵌入部材は、筒状カバーの溝内に弾性的に嵌めこまれて摩擦力により保持されているため、筒状カバーと接続カバーとの間で抜け側への強い外力が作用すると、嵌入部材が溝から外れて、筒状カバーと接続カバーの接続が外れる可能性もあり、この点にも改良の余地があった。
【０００５】
本発明は、このような従来の問題点に着目したもので、その目的は、複雑な形状の配管用の筒状カバーを必要とすることなく、その筒状カバーの端部に配管用の接続カバーを確実に外嵌接続させることができ、たとえ抜け側への強い外力が作用しても、筒状カバーと接続カバーが容易に外れることのない配管用カバーの抜け止めクリップを提供することにある。
【課題を解決するための手段】
【０００６】
本発明の第１の特徴構成は、配管用の筒状カバーとその筒状カバーの端部に外嵌接続される配管用の接続カバーとの相対的な抜けを防止するために使用される配管用カバーの抜け止めクリップであって、前記クリップが、前記筒状カバーの端部を外側と内側から挟持する外側舌片と内側舌片、および、両舌片の基端部を互いに連結する連結部を備えて側面視でほぼコの字状に形成され、前記外側舌片が、前記接続カバーの内周面に突設のストッパに当接して、前記筒状カバーと接続カバーの相対的な抜けを防止するべく外側へ突出された抜け止め部を備え、前記外側舌片と内側舌片の少なくとも一方が、前記筒状カバーと接続カバーの相対的な抜け側への移動に伴って前記ストッパから抜け止め部に加わる押圧力で前記筒状カバーに食い込み可能な爪部を備えているところにある。
【０００７】
本発明の第１の特徴構成によれば、配管用の筒状カバーとその筒状カバーの端部に外嵌接続される配管用の接続カバーとの相対的な抜けを防止するために使用される配管用カバーの抜け止めクリップが、筒状カバーの端部を外側と内側から挟持する外側舌片と内側舌片、および、両舌片の基端部を互いに連結する連結部を備えて側面視でほぼコの字状に形成され、外側舌片が、接続カバーの内周面に突設のストッパに当接して、筒状カバーと接続カバーの相対的な抜けを防止するべく外側へ突出された抜け止め部を備えているので、抜け止めクリップをその外側舌片と内側舌片を利用して筒状カバーの端部に挟持させるだけで、筒状カバーと接続カバーの抜けが防止される。
したがって、筒状カバーの外周に抜け防止に寄与する溝などを設ける必要がなく、筒状カバーの形状を単純化して、筒状カバーの低廉化を図ることができる。
そして、外側舌片と内側舌片の少なくとも一方が、筒状カバーと接続カバーの相対的な抜け側への移動に伴ってストッパから抜け止め部に加わる押圧力で筒状カバーに食い込み可能な爪部を備えているので、たとえ抜け側への強い外力が作用しても、筒状カバーへの爪部の食い込みによって、筒状カバーと接続カバーが容易に外れることもない。
【０００８】
本発明の第２の特徴構成は、前記外側舌片が、前記筒状カバーの外周面に食い込むべく前記連結部側に向けて内側へ斜めに突出する外側爪部を備え、前記内側舌片が、前記筒状カバーの内周面に食い込むべく前記連結部側に向けて外側へ斜めに突出する内側爪部を備えているところにある。
【０００９】
本発明の第２の特徴構成によれば、外側舌片が、筒状カバーの外周面に食い込むべく連結部側に向けて内側へ斜めに突出する外側爪部を備え、内側舌片が、筒状カバーの内周面に食い込むべく連結部側に向けて外側へ斜めに突出する内側爪部を備えているので、ストッパから抜け止め部に加わる押圧力の如何にかかわらず、筒状カバーと接続カバーの接続を強固に保持することができる。
すなわち、筒状カバーと接続カバーの相対的な抜け側への移動に伴ってストッパから抜け止め部に加わる押圧力は、その強さのみならず、作用する方向も一定せず、種々の方向に作用する可能性があるが、外側舌片が外側爪部を備え、内側舌片が内側爪部を備えているので、押圧力の作用方向の如何にかかわらず、外側爪部と内側爪部の少なくとも一方が筒状カバーに食い込む可能性が高くなり、筒状カバーと接続カバーの接続を強固に保持することができる。
【００１０】
本発明の第３の特徴構成は、前記外側舌片が、その横幅方向に沿って前記外側爪部を複数本備え、前記内側舌片が、その横幅方向に沿って前記内側爪部を複数本備えているところにある。
【００１１】
本発明の第３の特徴構成によれば、外側舌片が、その横幅方向に沿って外側爪部を複数本備え、内側舌片が、その横幅方向に沿って内側爪部を複数本備えているので、それら複数本の爪部により筒状カバーへの強力な食い込みが可能となるばかりか、ストッパから抜け止め部に加わる押圧力の作用方向の変化に対しても、より一層確実に対応することができる。
【００１２】
本発明の第４の特徴構成は、前記複数本の外側爪部と複数本の内側爪部が、前記横幅方向に沿って位相をずらせて互い違いに、かつ、側面視で互いに交差するように配設されているところにある。
【００１３】
本発明の第４の特徴構成によれば、複数本の外側爪部と複数本の内側爪部が、横幅方向に沿って位相をずらせて互い違いに、かつ、側面視で互いに交差するように配設されているので、つまり、上述したように、連結部側に向けて内側へ斜めに突出する複数本の外側爪部と連結部側に向けて外側へ斜めに突出する複数本の内側爪部が、側面視で互いに交差するように配設されているので、抜け止めクリップを筒状カバーの端部に挟持させた状態で、すでに外側爪部と内側爪部が筒状カバーへ食い込み勝ちとなって、抜け止めクリップの筒状カバー端部への挟持が確実となり、また、筒状カバーと接続カバーの抜け側への移動によりストッパから抜け止め部に押圧力が加わった場合には、より一層強固に接続カバーに食い込んで、筒状カバーと接続カバーの抜けを確実に防止することになる。
【図面の簡単な説明】
【００１４】
【図１】配管用カバーを適用した空調装置の全体図
【図２】配管用カバーの要部の縦断側面図
【図３】抜け止めクリップの斜視図、正面図、背面図、および、縦断側面図
【図４】配管用カバーの要部の分解斜視図
【図５】抜け止めクリップの作用を説明するための配管用カバーの要部の縦断側面図
【図６】別の実施形態による抜け止めクリップの正面図、背面図、および、縦断側面図
【図７】別の実施形態による抜け止めクリップの正面図、背面図、および、縦断側面図
【発明を実施するための形態】
【００１５】
本発明による配管用カバーの抜け止めクリップにつき、その実施の形態を図面に基づいて説明する。
本発明が対象とする配管用カバーは、例えば、図１に示すように、空調装置の室内機Ａと室外機Ｂを接続する各種の空調用の管や電線などの配管類Ｃをカバーするのに使用されるもので、その配管類Ｃは、室内機Ａから延出して建物の天井に沿って配設され、建物の壁Ｗを貫通した後、壁Ｗの外面に沿って上下方向に配設されて室外機Ｂに接続される。
配管類Ｃをカバーする配管用のカバーとしては、通常、合成樹脂製の直線状の筒状カバー１が使用され、その筒状カバー１が、合成樹脂製の配管用の接続カバー２としてのエルボカバー２ａや連結カバー２ｂを介して互いに接続され、筒状カバー１の端部には、同じく合成樹脂製の配管用の接続カバー２の一例である縮径用の端末カバー２ｃが接続され、その端末カバー２ｃから配管類Ｃが延出されている。
【００１６】
筒状カバー１は、図２および図４に示すように、互いに嵌合接続可能な一対の半割りカバー体３，４により構成され、室内に配設の筒状カバー１は、吊り金具５を介して天井に吊下げ保持され、室外に配設の筒状カバー１については、一方の半割りカバー体３が固定金具６を介して壁Ｗに固定保持され、その一方の半割りカバー体３に対して他方の半割りカバー体４が嵌合接続されるとともに、必要に応じて、両半割りカバー３，４どうしが図外の適宜手段により互いに強固に接続される。
配管用の接続カバー２としてのエルボカバー２ａ、連結カバー２ｂ、および、端末カバー２ｃは、その筒状カバー１の端部に相対的な抜けを防止した状態で外嵌接続され、その際に使用されるのが、本発明による抜け止めクリップ７である。
【００１７】
以下、その抜け止めクリップ７について説明し、筒状カバー１と接続カバー２の接続構造について言及するが、接続カバー２はその形状が異なるだけで、接続のための構成は全て同じであるため、エルボカバー２ａを例にして説明する。
抜け止めクリップ７は、例えば、ばね鋼の打ち抜きにより形成されていて、図３に示すように、筒状カバー１の端部を外側と内側から弾性的に挟持する外側舌片８と内側舌片９、および、両舌片８，９の基端部を互いに連結する連結部１０を備え、側面視においてほぼコの字状に形成されている。
両舌片８，９は、その差し込み方向（縦方向）のほぼ中央部が互いに近接するように、連結部１０から遊端部側に向けて斜めに折曲され、両遊端部８ｂ，９ｂが互いに離間するように、ハの字状に開口されていて、外側舌片８の遊端部８ａが、後に詳しく説明する抜け止め部として機能するように構成されている。
【００１８】
抜け止めクリップ７の外側舌片８は、その横幅方向に沿って複数本（図３の実施形態では２本）の外側爪部８ａを一体的に備え、その外側爪部８ａが、筒状カバー１の外周面に食い込むべく連結部１０に向けて内側へ斜めに突出するように設けられている。
内側舌片９も、その横幅方向に沿って複数本（図３の実施形態では３本）の内側爪部９ａを一体的に備え、その内側爪部９ａが、筒状カバー１の内周面に食い込むべく連結部１０に向けて外側へ斜めに突出するように設けられている。
２本の外側爪部８ａと３本の内側爪部９ａは、その横幅方向に沿って互いに位相をずらせて、より具体的には、横幅方向に沿って互い違いになるように配設され、かつ、図３の（ｄ）から明らかなように、側面視において、外側爪部８ａと内側爪部９ａが互いに交差するように配設されている。
【００１９】
配管用の接続カバー２の一例であるエルボカバー２ａは、図２および図４に示すように、互いに嵌合接続可能な左右一対の半割りカバー体１１，１２により構成され、両半割りカバー体１１，１２が、ボルトなどの連結金具１３により互いに固定可能に構成されるとともに、筒状カバー１を接続する開口端部の内周面には、その全長にわたってストッパとして機能するフランジ１４が一体的に突設されている。
各半割りカバー体１１，１２の内周面には、筒状カバー１と接続カバー２の接続方向に沿って長い条状のガタツキ防止部１５が、周方向に沿って複数個（図２および図４の実施形態では２個ずつ）一体的に突設され、そのガタツキ防止部１５の奥側端部近くには、筒状カバー１の挿入長さを規制するストッパ部１６が、ガタツキ防止部１５とほぼ直交する状態で周方向に沿って一体的に突設されている。
【００２０】
つぎに、抜け止めクリップ７を使用して、筒状カバー１と接続カバー２を接続する施工手順およびその接続構造について、筒状カバー１とエルボカバー２ａの接続を例にして説明する。
まず、配管類Ｃを挿入した状態で室内に配設の筒状カバー１を吊り金具５により天井に吊下げ保持させ、室外に配設の筒状カバー１については、一方の半割りカバー体３を固定金具６により壁Ｗに固定保持させ、配管類Ｃを挿入した状態で他方の半割りカバー体４を一方の半割りカバー体３に嵌合接続し、必要に応じて、両半割りカバー体３，４どうしを適宜手段により強固に接続する。
この他方の半割りカバー体４の嵌合接続の前または後に、一方の半割りカバー体３の上端部にクリップ７をひとつ取り付ける。すなわち、図４および図５に示すように、外側舌片８が半割りカバー体３の外側に位置し、内側舌片９が半割りカバー体３の内側に位置するようにクリップ７を取り付けるのであり、このクリップ７の取り付けは、ハの字状に開口している両舌片８，９の遊端部８ｂ，９ｂによる案内作用で容易に行うことができる。
【００２１】
その後、図２および図４に示すように、エルボカバー２ａを構成する左右一対の半割りカバー体１１，１２を室内に配設の筒状カバー１と室外に配設の筒状カバー１とにわたって、それぞれの端部に外嵌接続して、両半割りカバー体１１，１２を連結金具１３により連結固定する。
この連結固定状態では、施工精度上の困難性から、通常、図５の（ａ）に示すように、室外の筒状カバー１の上端部はストッパ部１６にまで至っておらず、また、抜け止め部として機能する外側舌片８の遊端部８ｂとストッパとして機能するエルボカバー２ａのフランジ１４とは当接せず、遊端部８ｂとフランジ１４との間には隙間がある。
ただし、エルボカバー２ａの内周面に突設された複数個のガタツキ防止部１５が、筒状カバー１の外周面とエルボカバー２ａの内周面との間において周方向に介在するため、筒状カバー１とエルボカバー２ａとの間でのガタツキは確実に防止され、また、クリップ７が抜け落ちようとしても、外側爪部８ａと内側爪部９ａが半割りカバー体３の外周面と内周面に食い込み勝手となるため、クリップ７の抜け落ちは確実に防止される。
【００２２】
この連結固定状態において、例えば、地震や強風などによる何らかの外力に起因して筒状カバー１とエルボカバー２ａが相対的に移動し、筒状カバー１がエルボカバー２ａ内に必要以上に入り込もうとすると、筒状カバー１の上端部がストッパ部１６に当接して、それ以上の入り込みが防止される。
逆に、筒状カバー１とエルボカバー２ａが抜け側へ相対移動すると、図５の（ｂ）に示すように、外側舌片８の遊端部８ｂとエルボカバー２ａのフランジ１４が当接して、筒状カバー１とエルボカバー２ａとの相対的な抜けが防止される。
しかも、その際、筒状カバー１とエルボカバー２ａの相対的な抜け側への移動に伴って、図５の（ｂ）に矢印で示すように、フランジ１４から外側舌片８の遊端部８ｂに押圧力が加わり、その押圧力によって外側舌片８の外側爪部８ａと内側舌片９の内側爪部９ａのいずれか一方または両方が筒状カバー１の外周面と内周面のいずれか一方または両方に食い込むため、筒状カバー１とエルボカバー２ａとの相対的な抜けは、より一層確実に防止されるのである。
【００２３】
〔別実施形態〕
つぎに、本発明による抜け止めクリップの別実施形態について説明するが、重複説明を避けるため、先の実施形態で説明した構成や同じ作用を有する構成については、同じ符号を記すことにより説明を省略し、主として先の実施形態と異なる構成について説明する。
【００２４】
（１）先の実施形態では、抜け止めクリップ７の外側舌片８と内側舌片９の遊端部８ｂ，９ｂが、互いに離間してハの字状に開口した構成を示したが、図６に示すように、外側舌片８の遊端部８ｂのみが外側を向くように構成することもでき、さらに、この図６に示すように、外側爪部８ａと内側爪部９ａを横幅方向に位相をずらせることなく、差し込み方向（縦方向）に若干位相をずらせてひとつずつ設け、内側爪部９ａを短くして、両爪部８ａ，９ａが、側面視で互いに交差しないように配設することもできる。
また、図７に示すように、外側爪部８ａと内側爪部９ａをひとつずつ設け、各爪部８ａ，９ａの先端部に複数の尖鋭部を設けて実施することもでき、さらに、この図７に示すように、外側爪部８ａと内側爪部９ａを舌片の差し込み方向（縦方向）に大きく位相をずらせて配設することもできる。
【００２５】
（２）以上の説明より明らかなように、外側舌片８と内側舌片９に設ける爪部８ａ，９ａの本数や形状は任意であり、さらに、外側舌片８と内側舌片９のいずれか一方に爪部を設けて実施することもできる。
また、抜け止めクリップ７は、必ずしもばね鋼の打ち抜きにより形成する必要はなく、ばね鋼以外の各種の金属や合成樹脂などで形成することも可能であり、さらに、実際の施工に際しては、筒状カバー１の端部に抜け止めクリップ７を２つ以上取り付けて実施することもできる。
さらに、配管用の接続カバー２の具体例として、エルボカバー２ａ、連結カバー２ｂ、および、縮径用の端末カバー２ｃを示したが、それ以外にも、例えば、異径用の連結カバーやＴ型の連結カバーなど、各種の接続カバーに適用可能である。
【符号の説明】
【００２６】
１        配管用の筒状カバー
２        配管用の接続カバー
７        抜け止めクリップ
８        外側舌片
８ａ      外側爪部
８ｂ      抜け止め部
９        内側舌片
９ａ      内側爪部
１０      連結部
１４      ストッパ
【図１】
2011112079.tif 000003
【図２】
2011112079.tif 000004
【図３】
2011112079.tif 000005
【図４】
2011112079.tif 000006
【図５】
2011112079.tif 000007
【図６】
2011112079.tif 000008
【図７】
2011112079.tif 000009